【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
長さ方向に沿った少なくともその一部が環境に開かれていて、第一の状態において体液を受け入れるための体液通路（１１）と、
前記通路（１１）の体液が体液受け入れ手段（４０）と前記第一の離間状態においては流体的接触しないように、前記体液通路（１１）から各々離間されている体液受け入れ手段（４０）と
を有し、
作動されたとき、前記体液通路（１１）の体液が前記体液受け入れ手段（４０）と接触する第二の接触状態になるよう、物理的変化を起こすようにされており、
動かすことができる可動部（１３）を有し、
前記体液通路（１１）または前記体液受け入れ手段（４０）の少なくとも一部が、前記接触状態になるように前記可動部（１３）に配置されている体液を採取するための装置。
【請求項２】
長さ方向に沿った少なくともその一部が環境に開かれていて、第一の状態において体液を受け入れるための体液通路（１１）と、
前記通路（１１）の体液が体液受け入れ手段（４０）と前記第一の離間状態においては流体的接触しないように、前記体液通路（１１）からエア・ギャップ（９２）によって各々離間されている体液受け入れ手段（４０）と
を有し、
作動されたとき、前記体液通路（１１）の体液が前記体液受け入れ手段（４０）と接触する第二の接触状態になるよう、物理的変化を起こすようにされており、
前記体液通路（１１）で受け入れした体液が、電気的に駆動されて前記体液受け入れ手段（４０）に移動させられる体液を採取するための装置。
【請求項３】
前記体液通路（１１）が設けられた皮膚貫通要素（１０）をさらに有する請求項１または２記載の装置。
【請求項４】
前記体液受け入れ手段（４０）が検査領域（４５）を有する請求項１または２記載の装置。
【請求項５】
前記体液受け入れ手段（４０）が、エア・ギャップ（９２）により前記体液通路（１１）から離間されている請求項１記載の装置。
【請求項６】
前記エア・ギャップ（９２）が、スペーサ（９０）によって維持されている請求項２または５記載の装置。
【請求項７】
前記通路に最初に浸入した体液が前記検査領域（４５）と接触しないようにするために、前記検査領域（４５）が、前記体液通路（１１）の中間部に配置されているか、または接続されている請求項３〜６のいずれか１項に記載の装置。
【請求項８】
前記体液通路（１１）が、採取部（１００）および採取部（１００）の下流に配置された少なくとも一つの排出部（１０２）、および／または前記採取部（１００）の上流で分岐し、最初に前記通路（１１）に浸入した体液の一部を受け入れるための分岐部を有し、また、前記採取部（１００）が、そこに収容された体液を分析するための検査領域（４５）である、または、分析するために検査領域（４５）と接触することができる請求項１〜７のいずれか１項に記載の装置。
【請求項９】
体液を受け入れるための、横方向が開いた体液通路（１１）としての毛管状溝を備えた皮膚貫通要素（１０）を有し、前記溝が、採取部（１００）および前記採取部（１００）の下流に配置された少なくとも一つの排出部（１０２）、および／または前記採取部（１００）の上流で分岐し、前記毛管状溝の毛細管に最初に浸入した体液の一部を受け入れて排出するための分岐部を有し、前記採取部（１００）が、そこに収容された体液を分析するための検査領域（４５）である、または、分析するために検査領域（４５）と接触することができる体液を受け入れるための、横方向に開かれた体液通路（１１）としての毛管状溝を備えた皮膚貫通要素を有する体液を採取するための装置。
【請求項１０】
前記採取部（１００）が、毛管状溝（１１）の入口部（１０６）を通して充填され、前記入口部（１０６）の毛管現象が、前記入口部から分岐した少なくとも一つの排出部（１０２）の毛管現象より小さい請求項８または９記載の装置。
【請求項１１】
前記排出部（１０２）が、廃棄部（１１４）と、前記廃棄部（１１４）上流の貯留部（１１６）とを有し、前記貯留部（１１６）からの体液が、吸上げ過程の後に採取部（１００）に供給される請求項８〜１０のいずれか１項に記載の装置。
【請求項１２】
体液を受け入れるための体液通路（１１）を備えた皮膚貫通要素（１０）と、
体液受け入れ手段（４０）と
を有し、
前記体液通路（１１）の少なくとも一部が環境に開かれており、
前記通路の体液が前記体液受け入れ手段（４０）と流体的接触をしないように、前記体液受け入れ手段（４０）が前記体液通路（１１）から離間されており、
前記体液受け入れ手段（４０）が検査領域（４５）を有している体液を分析するため装置。
【請求項１３】
分析物質の存在および／または濃度を判定するために、前記検査領域（４５）からの信号を受信する検出ユニットを備えた測定器を有する請求項１〜１２のいずれか１項に記載の装置。
【請求項１４】
前記検査領域（４５）に体液の試料を供給するために前記体液通路（１１）の一部に前記体液受け入れ手段（４０）で接触する接触手段を有する請求項１〜１３のいずれか１項に記載の装置。
【請求項１５】
前記測定器が、前記接触手段が前記体液受け入れ手段（４０）を用いて前記体液通路（１１）に接触した、または、体液の試料が前記検査領域（４５）に達したことを示す信号を受信する処理ユニットを有する請求項１３記載の装置。
【請求項１６】
前記接触手段が、前記体液通路（１１）と前記体液受け入れ手段（４０）とを互いに接触させるために、前記体液通路（１１）の可動部（１３）または前記体液受け入れ手段（４０）に力を加えてなる請求項１４記載の装置。
【請求項１７】
前記体液通路（１１）と前記体液受け入れ手段（４０）とを体液が転送されるように接触させるために磁界（７２）を掛けるための磁力式接触手段（７４，７６）を有する請求項１〜１６のいずれか１項に記載の装置。
【請求項１８】
前記接触手段が、前記検査領域（４５）を光学式検出ユニットに連結するための光学式一致要素（８０）を有し、前記光学式一致要素（８０）が、前記体液通路（１１）と前記体液受け入れ手段（４０）とを接触状態にする機械的力を加えるようにされている請求項１４〜１７のいずれか１項に記載の装置。
【請求項１９】
前記光学式検出ユニットが、レンズ、光導波管、および／または光ファイバ（９４）を有する構成部品を介して前記光学式一致要素（８０）に接続された反射率測定器を含む請求項１８記載の装置。
【請求項２０】
少なくとも接近部において周囲から接近可能であり、内部に体液導入部（ａ）と、前記接近部の下流に配置された排出部（ｄ）とを備えた溝（１１）を有する支持構造体と、
体液受け入れ手段（４０）と
を有し、
前記体液受け入れ手段（４０）に前記排出部からの体液が接触しないように、第一の状態において前記体液受け入れ手段（４０）は前記溝から離間されており、体液を受け入れるための第二の状態において前記体液受け入れ手段（４０）が前記接近部に位置する体液に接触させられる分析装置。
【請求項２１】
体液を受け入れるための、少なくともその一部が環境に開かれている体液通路（１１）を備えた皮膚貫通要素と、
前記通路の体液が体液受け入れ手段（４０）と接触しないように前記体液通路（１１）から離間され、また、検査領域（４５）が設けられた体液受け入れ手段（４０）と、
前記皮膚貫通要素（１０）を前記体液受け入れ手段（４０）と接触させるように転送するための転送手段と
を有する体液を分析するためのシステム。
【請求項２２】
複数の前記体液受け入れ手段（４０）を収容したマガジンをさらに有する請求項２１記載のシステム。